(57)【特許請求の範囲】
【請求項１】
トレッド面に、タイヤ周方向に延びる主溝と、前記主溝に交差して延びる横溝と、前記主溝と前記横溝とによって区画された複数のブロックと、を設けた空気入りタイヤにおいて、
前記ブロックが、
前記主溝及び前記横溝の溝底から立ち上がった壁面と、前記ブロックの周囲にて踏面よりも低く形成された頂面とを有する台ブロック部と、
前記台ブロック部の頂面から立ち上がった壁面を有し、前記ブロックの踏面から前記台ブロック部の頂面までの深さと同等又はそれ以下の溝深さを有する細溝により複数個に区画された小ブロック部と、
前記細溝の溝壁又は溝底から深さ方向に延び、前記台ブロック部に入り込んで形成されたサイプと、を備え、
前記サイプは、平面視にて前記細溝と交差する方向に延びるとともに、長さ方向の両端が閉塞した両側クローズドサイプとして形成されていることを特徴とする空気入りタイヤ。
【請求項２】
前記細溝の溝壁又は溝底から深さ方向に向かって前記サイプが長さ方向に拡がり、前記小ブロック部の摩滅の進行に伴って、表面に露出する前記サイプの長さが大きくなるように構成されている請求項１に記載の空気入りタイヤ。
【請求項３】
前記小ブロック部が、タイヤ周方向に延びた前記細溝によってタイヤ幅方向に分断されている請求項１又は２に記載の空気入りタイヤ。
【発明の詳細な説明】
【技術分野】
【０００１】
本発明は、トレッド面に複数のブロックを設けた空気入りタイヤに関する。
【背景技術】
【０００２】
通常、スタッドレスタイヤに代表される冬タイヤでは、図１３に示すように、トレッド面のブロック３０に複数のサイプ３１を形成しており、それによってエッジ効果や除水効果を高めて、摩擦係数が低い氷雪路での操縦安定性能（以下、アイス性能と呼ぶ。）を向上している（例えば下記特許文献１，２）。しかし、かかるブロック３０では、サイプ３１で複数に分断されていることにより、特に主溝３２に隣接した部分で局所的に剛性が低く、過度の倒れ込みを起こしてエッジ効果が弱まるため、アイス性能が十分に発揮されないことがある。
【０００３】
ところで、一般的なスタッドレスタイヤでは、摩耗が進行するにつれてアイス性能の保持が困難になるため、完摩耗時まで惜しみない使用が難しいという実情があった。そこで、本発明者は、摩耗後の冬タイヤをオールシーズンタイヤとして使用できれば、タイヤ寿命が延びて有益であると考えた。但し、従来のスタッドレスタイヤは、上述のようにアイス性能について改善の余地を残すとともに、乾燥路での操縦安定性能（以下、ドライ性能と呼ぶ。）を十分に発揮し得る程度に、摩耗後にブロックの剛性を確保できるものではなかった。
【０００４】
下記特許文献３に記載の氷雪路用空気入りタイヤでは、サイプを形成したブロックの周囲に踏面より一段低い箍ブロックを設け、そのブロックと箍ブロックとの境界にタイヤ径方向に深さを有する枠サイプを形成している。しかし、このブロック構造では、上述したブロックの局所的な剛性低下が枠サイプにより助長され、依然としてアイス性能を改善する余地を残すうえ、摩耗後にブロックの剛性を確保できるものではない。そもそも、このタイヤは、冬タイヤとしての使用しか想定しておらず、オールシーズンタイヤとしての使用に適した構造について何らの示唆もない。
【先行技術文献】
【特許文献】
【０００５】
【特許文献１】特開平１１−１５７３０８号公報
【特許文献２】特開２００２−２９２２３号公報
【特許文献３】特開２００５−５９６３４号公報
【発明の概要】
【発明が解決しようとする課題】
【０００６】
本発明は上記実情に鑑みてなされたものであり、その目的は、新品時に優れたアイス性能を発揮しながら、摩耗後は優れたドライ性能とアイス性能を発揮することができる空気入りタイヤを提供することにある。
【課題を解決するための手段】
【０００７】
上記目的は、下記の如き本発明により達成することができる。請求項１に記載の発明は、トレッド面に、タイヤ周方向に延びる主溝と、前記主溝に交差して延びる横溝と、前記主溝と前記横溝とによって区画された複数のブロックと、を設けた空気入りタイヤにおいて、前記ブロックが、前記主溝及び前記横溝の溝底から立ち上がった壁面と、前記ブロックの周囲にて踏面よりも低く形成された頂面とを有する台ブロック部と、前記台ブロック部の頂面から立ち上がった壁面を有し、前記ブロックの踏面から前記台ブロック部の頂面までの深さと同等又はそれ以下の溝深さを有する細溝により複数個に区画された小ブロック部と、前記細溝の溝壁又は溝底から深さ方向に延び、前記台ブロック部に入り込んで形成されたサイプと、を備え、前記サイプは、平面視にて前記細溝と交差する方向に延びるとともに、長さ方向の両端が閉塞した両側クローズドサイプとして形成されているものである。
【０００８】
この空気入りタイヤでは、摩耗が進行していない新品時には、細溝により複数個に区画された小ブロック部が接地する。小ブロック部は、台ブロック部の頂面から立ち上がった壁面を有し、主溝や横溝に面した台ブロック部の壁面よりも内側に位置する。細溝の溝深さは、ブロックの踏面から台ブロック部の頂面までの深さと同等かそれ以下である。かかる構成により、台ブロック部を土台として小ブロック部が堅固に形成されるため、過度の倒れ込みを抑制してエッジ効果を確保し、優れたアイス性能を発揮することができる。
【０００９】
一方、摩耗が進行して小ブロック部が摩滅した後は、小ブロック部よりも大きな台ブロック部が接地し、この段階では細溝も消失している。そのため、摩耗後にブロックの剛性を適切に確保し、オールシーズンタイヤに供し得る程度に優れたドライ性能を発揮できる。それでいて、小ブロック部の摩滅に伴って台ブロック部の表面にはサイプが出現するため、エッジ効果や除水効果を奏して優れたアイス性能を発揮できる。以上の結果、本発明の空気入りタイヤによれば、新品時に優れたアイス性能を発揮しながら、摩耗後は優れたドライ性能とアイス性能を発揮することができる。
【００１０】
請求項２に記載の発明は、請求項１に記載の発明において、前記細溝の溝壁又は溝底から深さ方向に向かって前記サイプが長さ方向に拡がり、前記小ブロック部の摩滅の進行に伴って、表面に露出する前記サイプの長さが大きくなるように構成されているものである。かかる構成によれば、摩耗の進行による高さの減少に伴って上昇しがちなブロックの剛性バランスを改善し、摩耗後のアイス性能を良好に向上できる。
【００１１】
請求項３に記載の発明は、請求項１又は２に記載の発明において、前記小ブロック部が、タイヤ周方向に延びた前記細溝によってタイヤ幅方向に分断されているものである。かかる構成によれば、細溝により横方向のエッジ効果を発現して、アイス性能をより向上することができる。また、細溝によって排水性が向上するため、湿潤路での操縦安定性能（以下、ウエット性能と呼ぶ。）の向上にも寄与し得る。
【図面の簡単な説明】
【００１２】
【図１】本発明に係る空気入りタイヤのトレッド面の一例を示す平面図
【図２】新品時におけるブロックの（ａ）平面図と（ｂ）正面図
【図３】図２のブロックの斜視図
【図４】図２（ａ）のＡ−Ａ矢視断面図
【図５】摩耗後の状態におけるブロックの斜視図
【図６】サイプの別形態を示す平面図
【図７】別実施形態に係るブロックの（ａ）平面図と（ｂ）正面図
【図８】新品時におけるブロックの平面図
【図９】図８のＢ−Ｂ矢視断面図
【図１０】サイプの別形態を示す平面図
【図１１】新品時におけるブロックの平面図
【図１２】サイプの別形態を示す平面図
【図１３】従来のブロック構造を示す斜視図
【発明を実施するための形態】
【００１３】
以下、本発明の実施の形態について、図面を参照しながら説明する。
【００１４】
［第１実施形態］
図１は、本発明に係る空気入りタイヤのトレッド面の一例を示す平面図である。このトレッド面には、タイヤ周方向ＰＤに延びる三本の主溝２と、その主溝２に交差して延びる横溝３，４と、その主溝２と横溝３又は横溝４とによって区画された複数のブロック１０，２０とが設けられている。ブロック１０は、タイヤ幅方向の中央部に配置されたブロック列を構成し、ブロック２０は、それらの両側に配置されたブロック列を構成している。
【００１５】
図２，３に拡大して示すように、ブロック１０は、台ブロック部１１と小ブロック部１２とサイプ１４とを備える。台ブロック部１１は、主溝２及び横溝４の溝底から立ち上がった壁面１１ａと、ブロック１０の周囲にて踏面よりも低く形成された頂面１１ｂとを有する。小ブロック部１２は、頂面１１ｂから立ち上がった壁面１２ａを有し、細溝１３により複数個（本実施形態では二個）に区画されている。細溝１３は、ブロック１０の踏面から台ブロック部１１の頂面１１ｂまでの深さＤ１と同等又はそれ以下の溝深さＤ２を有する。
【００１６】
サイプ１４は、図４に示すように、細溝１３の溝壁から深さ方向（図４における下方向）に延び、台ブロック部１１に入り込んで形成されている。サイプ１４は、新品時における小ブロック部１２の表面には現れておらず、平面視（図２（ａ）参照）にて細溝１３と交差する方向に延びて、小ブロック部１２の各々の下側に入り込んでいる。サイプ１４は細溝１３の溝底から深さ方向に延びるものでも構わないが、このように細溝１３の溝壁から開始することで、サイプ１４の長さを良好に確保することができる。
【００１７】
小ブロック部１２は、台ブロック部１１の壁面１１ａよりも内側に位置し、台ブロック部１１を土台として堅固に形成されているため、主溝２の近傍であっても局所的な剛性低下が抑えられる。そのため、氷雪路の走行時には、ブロック１０の過度の倒れ込みを抑制してエッジ効果を確保し、優れたアイス性能を発揮できる。また、そのようにして局所的な剛性低下を抑えられることから、走行時にブロック１０の踏面の稜線部周辺の動きが大きくなる不具合を防いで、ヒールアンドトウ摩耗の発生を防止できる。
【００１８】
また、図５に示すように摩耗が進行して小ブロック部１２が摩滅した後は、小ブロック部１２よりも大きい台ブロック部１１が接地し、この段階では細溝１３も消失している。それ故、摩耗後にブロック１０の剛性を適切に確保し、オールシーズンタイヤに供し得る程度に優れたドライ性能を発揮できる。それでいて、小ブロック部１２の摩滅に伴って台ブロック部１１の表面にはサイプ１４が出現するため、エッジ効果や除水効果を奏して優れたアイス性能も発揮できる。よって、このタイヤは、新品時には優れたアイス性能を発揮する冬タイヤとして有用であり、摩耗後は優れたドライ性能とアイス性能を発揮するオールシーズンタイヤとして利用できるため、完摩耗時まで惜しみない使用が可能となる。
【００１９】
本実施形態では、図４に示すように細溝１３の溝壁から深さ方向に向かってサイプ１４が長さ方向に拡がり、小ブロック部１２の摩滅の進行に伴って、表面に露出するサイプ１４の長さが大きくなるように構成されている。摩耗が進行してブロック１０の高さが減少すると、そのブロック１０の剛性の上昇によりアイス性能が低下しがちであるが、かかる構成によれば、そのようなブロック１０の剛性バランスを改善して、摩耗後のアイス性能を良好に向上することができる。
【００２０】
サイプ１４は、小ブロック部１２が摩滅する途中の段階でタイヤ表面に出現し、その後は摩耗が進行するにつれて長さを増し、小ブロック部１２が消滅した段階で完全に露出する。小ブロック部１２の内部ではサイプ１４の長さ方向の両端が傾斜しており、そのタイヤ径方向に対する角度αは、新品時におけるブロック１０の剛性バランス及びサイプ成形時のブレードの抜け性の観点から４５°以下が好ましい。また、サイプ１４の底部では、ブロック切れの発生を回避するため、本実施形態のようにコーナーが丸みを帯びていることが好ましい。
【００２１】
サイプ１４の幅は、小ブロック部１２が消滅した段階においてブロック１０の倒れ込みを適度に抑制しながらエッジ効果を好適に発現するうえで、０．２〜０．７ｍｍが好ましく、０．２〜０．４ｍｍがより好ましい。サイプ１４の深さＤ３は、摩耗後のアイス性能を確保するうえで、新品時におけるブロック１０の高さＨＢに対して７０〜１００％であることが好ましく、８０〜９０％がより好ましい。また、サイプ１４は、摩耗後のドライ性能を確保するうえで、長さ方向の両端が閉塞した両側クローズドサイプであることが好ましい。
【００２２】
本実施形態では、中央の１本が両側の２本よりも長い３本のサイプ１４を平行に配列した例を示すが、サイプの本数や向きは種々に変更が可能である。図６は、サイプの別形態を示す平面図であり、（ａ）では同じ長さの３本のサイプ１４を設けている。（ｂ）は、サイプ１４を傾斜させて配列したもので、そのタイヤ幅方向に対する角度βは０°を超え且つ９０°未満に設定される。これらに比べて、図２のサイプ１４では、ブロック１０の中心部に集中しがちな接地圧を分散し得るため、アイス性能をより良好に向上できる。
【００２３】
また、本実施形態では、サイプ１４が長さ方向にストレート状に延びる例を示すが、これに限定されるものではなく、波状やジグザグ状に延びた形状でも構わない。更には、サイプの横断面形状が深さ方向に沿って変化する、いわゆる３次元サイプによりサイプ１４を形成することも可能である。
【００２４】
小ブロック部１２は、タイヤ周方向に延びた細溝１３によってタイヤ幅方向に分断されている。これにより細溝１３にて横方向のエッジ効果を発現し、アイス性能を向上できるとともに、細溝１３により排水性を向上してウエット性能を高めることができる。但し、後述するように、細溝１３は、タイヤ周方向と交差する方向の成分を含んでいても構わない。
【００２５】
台ブロック部１１の頂面１１ｂは、新品時におけるブロック１０の高さＨＢの３０〜７０％に位置することが好ましい。これにより、冬タイヤとして優れたアイス性能を発揮し得る状態と、オールシーズンタイヤとして優れたドライ性能とアイス性能を発揮し得る状態とを、それぞれ適度に保持できる。即ち、主溝２の溝底を基準にした頂面１１ｂの高さＨ１１は、好ましくはブロック１０の高さＨＢの３０〜７０％であり、より好ましくは４０〜６０％であり、更に好ましくは４５〜５５％であり、最も好ましくは略５０％である。
【００２６】
一つのブロック１０が備える小ブロック部１２の個数は、２個以上６個未満であることが好ましい。これが６個以上であると、エッジ成分が増えるものの、小ブロック部１２の個々の大きさを確保し難くなるため、剛性が低下してアイス性能の向上効果が小さくなる傾向にある。
【００２７】
一つのブロック１０に関して、台ブロック部１１の上面（頂面１１ｂが位置する面）の面積は、その台ブロック部１１上の小ブロック部１２の上面（ブロック１０の踏面）の総面積の１．０６倍以上１．４倍以下が好ましい。これを１．４倍以下とすることで、小ブロック部１２の個々の大きさを確保しやすくなり、その剛性を高めてアイス性能の向上効果を適切に確保できる。また、同様の理由から、台ブロック部１１の上面の面積は、小ブロック部１２の個々の大きさの２．１〜８．４５倍が好ましい。
【００２８】
傾斜角度θは、ブロック１０をタイヤ周方向から見て、台ブロック部１１の頂面１１ｂの稜線と小ブロック部１２の上面の稜線とを結んだ直線Ｌと、小ブロック部１２の壁面１２ａとがなす角度であり、５°以上２５°以下であることが好ましい。また、台ブロック部１１の壁面１１ａと小ブロック部１２の壁面１２ａとの間隔Ｓは、１．２ｍｍ以上２．０ｍｍ未満が好ましい。
【００２９】
傾斜角度θが５°以上、若しくは間隔Ｓが１．２ｍｍ以上であることにより、小ブロック部１２を主溝２から離間させ、ブロック１０の踏面の稜線部周辺の動きが大きくなることを防いで、ヒールアンドトウ摩耗の発生を抑制できる。一方、傾斜角度θが２５°以下、若しくは間隔Ｓが２．０ｍｍ未満であることにより、台ブロック部１１同士の間隔（主溝２や横溝３の溝幅）を保持してウエット性能を確保できると共に、小ブロック部１２の大きさを保持してアイス性能の向上効果を確保することができる。
【００３０】
細溝１３の溝幅ｗは、１．２ｍｍ以上が好ましい。これにより、接地時の負荷によって小ブロック部１２の壁面１２ａが膨らんで変形した場合でも、細溝１３の溝幅を確保して排水性を高めることができる。一方、溝幅ｗは２．０ｍｍ未満が好ましく、これにより個々の小ブロック部１２を大きく形成しやすくなるため、上述したアイス性能の向上効果を適切に確保できる。
【００３１】
細溝１３の溝深さＤ２は、深さＤ１に対して３０〜１００％であることが好ましく、７０〜１００％がより好ましい。これによって、細溝１３によるエッジ効果や除水効果を高めて、アイス性能を向上できる。それでいて、小ブロック部１２が摩滅により消失する時点で細溝１３も消失するようにして、摩耗後のブロック１０の剛性を適度に確保し、優れたドライ性能を発揮することができる。
【００３２】
図７は、小ブロック部１２同士を連結するブリッジ１５を設けた例である。かかる構成では、小ブロック部１２の動きがブリッジ１５を介して抑制されるため、小ブロック部１２を更に堅固にしてエッジ効果を強め、アイス性能を効果的に向上できる。この場合、サイプ１４はブリッジ１５を横断するようにして形成されるが、そのような構成であっても小ブロック部１２の動きを抑制し得るため、上述したブリッジ１５による改善効果は得られる。
【００３３】
ブリッジ１５は、台ブロック部１１の上面から離れていても構わないが、小ブロック部１２の剛性を確保する観点から、更には製造上の都合から、細溝１３の溝底にて、台ブロック部１１の上面から隆起して設けられることが好ましい。また、ブリッジ１５は、タイヤ幅方向に延びるものに限られず、例えば小ブロック部１２同士を斜めに連結するものでも構わない。
【００３４】
小ブロック部１２の動きを抑制してエッジ効果を高めるために、台ブロック部１１の壁面１１ａの上端から小ブロック部１２の壁面１２ａに向かって、頂面１１ｂが高くなるように傾斜させても構わない。但し、本実施形態のように、台ブロック部１１の頂面１１ｂをブロック１０の踏面と略平行に形成することにより、摩耗に伴う台ブロック部１１の出現を早めて、優れたドライ性能を早期に発現できるようにすることができる。
【００３５】
［第２実施形態］
第２実施形態は、以下に説明する構成の他は、前述した第１実施形態と同様に構成できるものであるため、共通点を省略して主に相違点について説明する。なお、第１実施形態で説明した部材・部位と同一の部材・部位には、同一の符号を付し、重複した説明を省略する。
【００３６】
図８に示すブロック１０は、台ブロック部１１と、Ｔ字状の細溝１３によって三個に区画された小ブロック部１２と、サイプ１４とを備える。図９に示すように、サイプ１４は、細溝１３の溝壁から深さ方向に延び、台ブロック部１１に入り込んで形成されている。小ブロック部１２が摩滅により消失した段階では、台ブロック部１１の表面にサイプ１４が図８の破線で示した形状で出現し、摩耗後にはオールシーズンタイヤとして優れたアイス性能を発揮できる。
【００３７】
本実施形態においても、細溝１３の溝壁から深さ方向に向かってサイプ１４が長さ方向に拡がっており、小ブロック部１２の摩滅の進行に伴って、表面に露出するサイプ１４の長さが大きくなる。また、サイプ１４は、平面視にて細溝１３と交差する方向に延びて、小ブロック部１２の各々の下側に入り込んでいる。サイプの本数や向きは種々に変更が可能であり、図１０に例示したような形態でもよいが、ブロック１０の中心部に集中しがちな接地圧を分散する趣旨から図８の形態が比較的好ましい。
【００３８】
本実施形態では、サイプ１４をタイヤ幅方向に対して傾斜させており、タイヤ周方向だけでなくタイヤ幅方向にもエッジ効果を発現できるため、第１実施形態に比べて摩耗後の旋回走行に優れる。但し、小ブロック部１２を三分割した本実施形態において、図２，６で示したようなサイプ１４を設けても構わない。
【００３９】
［第３実施形態］
第３実施形態は、以下に説明する構成の他は、前述した第１実施形態と同様に構成できるものであるため、共通点を省略して主に相違点について説明する。なお、第１実施形態で説明した部材・部位と同一の部材・部位には、同一の符号を付し、重複した説明を省略する。
【００４０】
図１１に示すブロック１０は、台ブロック部１１と、十字状の細溝１３によって四個に区画された小ブロック部１２と、サイプ１４とを備える。これらのサイプ１４は、図９のような縦断面形状を有しており、細溝１３の溝壁から深さ方向に延びて、台ブロック部１１に入り込んで形成されている。小ブロック部１２が摩滅により消失した段階では、台ブロック部１１の表面にサイプ１４が図１１の破線で示した形状で出現し、摩耗後にはオールシーズンタイヤとして優れたアイス性能を発揮できる。
【００４１】
本実施形態においても、細溝１３の溝壁から深さ方向に向かってサイプ１４が長さ方向に拡がっており、小ブロック部１２の摩滅の進行に伴って、表面に露出するサイプ１４の長さが大きくなる。また、サイプ１４は、平面視にて細溝１３と交差するようにして放射状に延び、小ブロック部１２の各々の下側に入り込んでいる。サイプの本数や向きは種々に変更が可能であり、図１２に例示したような形態でもよいが、ブロック１０の中心部に集中しがちな接地圧を分散する趣旨から図１１及び１２（ａ）の形態が比較的好ましい。
【００４２】
本実施形態のようにサイプ１４が放射状に延びる場合には、エッジ効果を多方位に発揮できるとともに、ブロックの中心部に集中しがちな接地圧を分散して、摩耗後のドライ性能及びアイス性能をより良好に向上できる。また、小ブロック部１２を四分割した場合、ブロック１０の踏面側で剛性が低下しがちであるが、かかる放射状サイプであれば、図２（ａ）の如きサイプ１４に比べてブロック１０のタイヤ周方向の剛性を確保しやすい。
【００４３】
［他の実施形態］
（１）前述の実施形態では、台ブロック部と小ブロック部が矩形に形成された例を示したが、これに限定されるものではなく、台ブロック部や小ブロック部に矩形以外の形状を適用することも可能である。また、細溝の延在方向がタイヤ周方向に対して傾斜するものでも構わない。
【００４４】
（２）本発明では、台ブロック部と小ブロック部とで互いにゴム硬度を異ならせてもよく、かかる場合には、台ブロック部を小ブロック部よりも硬質のゴムで形成することが好ましい。これにより、小ブロック部の土台となる台ブロック部の剛性を向上させて、ブロックの過度の倒れ込みを抑制し、アイス性能の向上に寄与することができる。
【００４５】
（３）本発明では、トレッド面に形成されるトレッドパターンは特に限られず、例えばリブを含んでいても構わない。台ブロック部と小ブロック部とを備えるブロックとしては、横溝で完全に分断されたものに限られず、タイヤ周方向に隣接するブロック同士が一部で連結されているなど、実質的にブロックとして形成されているものであれば、本発明を適用可能である。
【実施例】
【００４６】
以下、本発明の構成と効果を具体的に示すため、アイス性能、ドライ性能及びウエット性能を評価したので説明する。これらのタイヤ性能は、リム（サイズ：１５×６．０Ｊ）に組み付けたテストタイヤ（サイズ：１９５／６５Ｒ１５）を乗用車（１５００ｃｃ、ガソリン車）に装着し、氷雪路、乾燥路、湿潤路を走行してドライバーの官能試験により評価した。比較例１の結果を１００として指数で示し、数値が大きいほど優れていることを示す。
【００４７】
実施例１〜４
図１のトレッドパターンにおいて、図２，３のブロック構造において図６（ａ）のサイプ形状を採用したものを実施例１、図８のブロック構造において図１０（ａ）のサイプ形状を採用したものを実施例２、図１１のブロック構造において図１２（ａ）のサイプ形状を採用したものを実施例３、同じく図１２（ｂ）のサイプ形状を採用したものを実施例４とした。いずれも細溝の溝深さＤ２を深さＤ１に対して７５％とし、台ブロック部の頂面の高さＨ１１をブロックの高さＨＢの５０％とした。したがって、５０％摩耗時では、小ブロック部が摩滅して細溝は消失した状態となる。
【００４８】
比較例１，２
図１のトレッドパターンにおいて、図１３に示したブロック構造を採用したものを比較例１とした。サイプの溝深さは、ブロックの高さの−１．７ｍｍである。また、サイプを備えないとともに細溝の溝深さＤ２を深さＤ１よりも大きくしたこと以外は、実施例１と同じものを比較例２とした。比較例２における細溝の溝深さは、ブロックの高さの７０％であり、台ブロック部にまで切り込まれているため５０％摩耗時でも残存する。評価結果を表１に示す。
【００４９】
【表１】
0005475591.tif 000002
【００５０】
表１より、実施例１〜４では、比較例１に比べて、新品時のアイス性能と摩耗後のドライ性能及びアイス性能に優れており、併せてウエット性能も改善されている。このように、本発明のタイヤは、新品時には優れたアイス性能を発揮する冬タイヤとして有用であり、摩耗後は優れたドライ性能とアイス性能を発揮するオールシーズンタイヤとして利用でき、完摩耗時まで惜しみない使用が可能となる。
【符号の説明】
【００５１】
２      主溝
３      横溝
１０    ブロック
１１    台ブロック部
１１ａ  台ブロック部の壁面
１１ｂ  台ブロック部の頂面
１２    小ブロック部
１２ａ  小ブロック部の壁面
１３    細溝
１４    サイプ
１５    ブリッジ
【図１】
0005475591.tif 000003
【図２】
0005475591.tif 000004
【図３】
0005475591.tif 000005
【図４】
0005475591.tif 000006
【図５】
0005475591.tif 000007
【図６】
0005475591.tif 000008
【図７】
0005475591.tif 000009
【図８】
0005475591.tif 000010
【図９】
0005475591.tif 000011
【図１０】
0005475591.tif 000012
【図１１】
0005475591.tif 000013
【図１２】
0005475591.tif 000014
【図１３】
0005475591.tif 000015